(57)【特許請求の範囲】
【請求項１】
バックパック本体と、
前記バックパック本体の背面部に設けられた背負い用の肩ベルトと、
前記バックパック本体の背面部に設けられたスペーサー部材とを有するバックパックであって、
前記スペーサー部材は、ベース部と、ベース部から使用者の背中側に突出した突起部を有し、
前記スペーサー部材は、上下方向に５つの領域に等分に区分され、上側から第１領域、第２領域、第３領域、第４領域および第５領域を有し、
前記突起部は、少なくとも前記第１領域および前記第５領域に設けられ、
前記第１領域に設けられた突起部の少なくとも一部は、前記肩ベルトの上端を通り幅方向に延びる仮想線に対して、下方に１０ｃｍ以内の範囲にあり、
前記第５領域に設けられた突起部の少なくとも一部は、前記肩ベルトの下端を通り幅方向に延びる仮想線に対して、上方に１０ｃｍ以内または下方に５ｃｍ以内の範囲にあり、
前記第１領域には、前記突起部が幅方向に複数並んで配置されて第１突起部群が形成され、
前記第５領域には、前記突起部が幅方向に複数並んで配置されて第２突起部群が形成され、
前記第１突起部群は、幅方向の中央部の突起部が、幅方向の両端部の突起部よりも高く形成され、
前記スペーサー部材には、前記突起部が設けられない通気領域が、前記第４領域の少なくとも一部を含んで、前記スペーサー部材の幅方向の全体にわたって上下方向に５ｃｍ以上の長さで形成されていることを特徴とするバックパック。
【請求項２】
バックパック本体と、
前記バックパック本体の背面部に設けられた背負い用の肩ベルトと、
前記バックパック本体の背面部に設けられたスペーサー部材とを有するバックパックであって、
前記スペーサー部材は、ベース部と、ベース部から使用者の背中側に突出した突起部を有し、
前記スペーサー部材は、上下方向に５つの領域に等分に区分され、上側から第１領域、第２領域、第３領域、第４領域および第５領域を有し、
前記突起部は、少なくとも前記第１領域、前記第２領域、前記第３領域および前記第５領域に設けられ、
前記第１領域に設けられた突起部の少なくとも一部は、前記肩ベルトの上端を通り幅方向に延びる仮想線に対して、下方に１０ｃｍ以内の範囲にあり、
前記第５領域に設けられた突起部の少なくとも一部は、前記肩ベルトの下端を通り幅方向に延びる仮想線に対して、上方に１０ｃｍ以内または下方に５ｃｍ以内の範囲にあり、
前記第２領域および／または前記第３領域には、幅方向の一方側に前記突起部が複数設けられて第３突起部群が形成され、幅方向の他方側に前記突起部が複数設けられて第４突起部群が形成され、
前記第３突起部群と前記第４突起部群において、前記突起部が幅方向に並んで配置され、幅方向の外方側に配置された前記突起部が幅方向の外方側から内方側に向かって斜め下方に延びる平面形状を有し、幅方向の内方側に配置された前記突起部が幅方向の内方側から外方側に向かって斜め下方に延びる平面形状を有し、
前記スペーサー部材には、前記突起部が設けられない通気領域が、前記第４領域の少なくとも一部を含んで、前記スペーサー部材の幅方向の全体にわたって上下方向に５ｃｍ以上の長さで形成されていることを特徴とするバックパック。
【請求項３】
前記第１領域には、前記突起部が幅方向に複数並んで配置されて第１突起部群が形成され、
前記第５領域には、前記突起部が幅方向に複数並んで配置されて第２突起部群が形成されている請求項２に記載のバックパック。
【請求項４】
前記第１突起部群は、幅方向の中央部の突起部が、幅方向の両端部の突起部よりも高く形成されている請求項３に記載のバックパック。
【請求項５】
前記第１突起部群と前記第２突起部群は、隣接する突起部の離隔距離が３ｍｍ以上３０ｍｍ以下である請求項１、３または４に記載のバックパック。
【請求項６】
前記突起部は、前記第２領域と前記第３領域にも設けられる請求項１または５に記載のバックパック。
【請求項７】
前記突起部は、前記第２領域と前記第３領域にも設けられ、
前記第２領域と前記第３領域における突起部の設置密度は、前記第１突起部群の突起部の設置密度と前記第２突起部群の突起部の設置密度よりも低い請求項１、３〜５のいずれか一項に記載のバックパック。
【請求項８】
前記第２領域、前記第３領域および前記第４領域の幅方向の中央部には、前記突起部が設けられない請求項１〜７のいずれか一項に記載のバックパック。
【請求項９】
前記各突起部の面積は０．３ｃｍ2以上１０ｃｍ2以下である請求項１〜８のいずれか一項に記載のバックパック。
【請求項１０】
前記ベース部は、幅方向の中央部に上下方向に延びる開口部が設けられている請求項１〜９のいずれか一項に記載のバックパック。
【請求項１１】
前記スペーサー部材は弾性材料から形成されている請求項１〜１０のいずれか一項に記載のバックパック。
【請求項１２】
前記スペーサー部材はメッシュ生地で覆われている請求項１〜１１のいずれか一項に記載のバックパック。
【発明の詳細な説明】
【技術分野】
【０００１】
本発明はバックパックに関するものであり、詳細には、使用者の背中での通気性を高めて蒸れを抑えることができるバックパックに関するものである。
【背景技術】
【０００２】
従来、使用者の背中での通気性を高めて蒸れを抑えるために、背面部に工夫を施したバックパック（リュックサック）が様々知られている。例えば、特許文献１には、背中と接する部分に通気性のある板を取り付けたリュックサックが開示されている。特許文献２には、リュックサックと背中との間に、クッション性の発泡樹脂材料からなる棒状部材をすだれのように並べて空気が流れる間隙を形成したリュックサックが開示されている。特許文献３には、リュックサック本体の背当て部に、背当て部を縦断する凹部を形成し、該凹部が背当て部の中央側ほど幅広に形成されたリュックサックが開示されている。特許文献４には、肩ベルトを備える背負い式の収納袋の背面側の下部にエアバッグを設けたリュックサックが開示されている。
【先行技術文献】
【特許文献】
【０００３】
【特許文献１】特開昭５２−９５６９号公報
【特許文献２】特開２００１−８７３０号公報
【特許文献３】特開２００２−１４２８６２号公報
【特許文献４】特開２０１８−６１５７４号公報
【発明の概要】
【発明が解決しようとする課題】
【０００４】
上記のように従来様々なバックパックが提案されているが、より効果的に使用者の背中での蒸れを抑えることができればなお望ましい。本発明は前記事情に鑑みてなされたものであり、その目的は、使用者の背中での蒸れを抑えることができるバックパックを提供することにある。
【課題を解決するための手段】
【０００５】
本発明者らは、汗をかいたときに使用者が背中のどの部分で不快に感じやすいか調べた。その結果、背中の背骨に沿った部分では首の付け根付近や背中の下部で汗を感じやすく、背中の背骨の両側の部分では肩甲骨付近から脊柱起立筋に沿って背中の下部に至る範囲で汗を感じやすいことが分かった。特に背中の下部（背中の胸椎と腰椎との境目付近の部分）では、背骨に沿った部分とその両側の脊柱起立筋に沿った部分の幅方向の全域にわたって、汗をかいたときに不快に感じすいことから、当該部分で背中の幅方向の全体の通気性を高めることで、背中から発せられた熱や蒸れが外部に放出されやすくなり、バックパックの使用感が向上することが明らかになった。
【０００６】
すなわち、前記課題を解決することができた本発明のバックパックとは、バックパック本体と、バックパック本体の背面部に設けられた背負い用の肩ベルトと、バックパック本体の背面部に設けられたスペーサー部材とを有するバックパックであって；スペーサー部材は、ベース部と、ベース部から使用者の背中側に突出した突起部を有し；スペーサー部材は、上下方向に５つの領域に等分に区分され、上側から第１領域、第２領域、第３領域、第４領域および第５領域を有し；突起部は、少なくとも第１領域および第５領域に設けられ；第１領域に設けられた突起部の少なくとも一部は、肩ベルトの上端を通り幅方向に延びる仮想線に対して、下方に１０ｃｍ以内の範囲にあり；第５領域に設けられた突起部の少なくとも一部は、肩ベルトの下端を通り幅方向に延びる仮想線に対して、上方に１０ｃｍ以内または下方に５ｃｍ以内の範囲にあり；スペーサー部材には、突起部が設けられない通気領域が、第４領域の少なくとも一部を含んで、スペーサー部材の幅方向の全体にわたって上下方向に５ｃｍ以上の長さで形成されているところに特徴を有する。
【０００７】
本発明のバックパックは、上記のように形成されたスペーサー部材がバックパック本体の背面部に設けられているため、使用者の背中の下部における通気性が高まり、長時間バックパックを背負っても背中の蒸れを抑えることができる。背中の下部は、背骨に沿った部分とその両側の脊柱起立筋に沿った部分の幅方向の全域にわたって、汗をかいたときに不快に感じやすいことから、当該部分に対応してバックパック本体と使用者の背中の間に通気空間が形成されるようにすることにより、背中からの熱や蒸れが外部に放出されやすくなり、汗をかいたときの不快感を低減することができる。
【０００８】
第１領域には、突起部が幅方向に複数並んで配置されて第１突起部群が形成され、第５領域には、突起部が幅方向に複数並んで配置されて第２突起部群が形成されていることが好ましい。このようにスペーサー部材に第１突起部群と第２突起部群を設けることにより、スペーサー部材の第１突起部群から第２突起部群に至る上下方向の範囲に、通気のための空間を安定して形成することが容易になる。また、使用者の背中から発せられた熱や蒸れが、第１突起部群を構成する突起部の間や第２突起部群を構成する突起部の間を通って、外部に放出されやすくなる。
【０００９】
第１突起部群は、幅方向の中央部の突起部が、幅方向の両端部の突起部よりも高く形成されていることが好ましい。バックパックを背負った際、第１突起部群の幅方向の両端部の突起は、使用者の肩甲骨の出っ張った部分に当たりやすくなる。この際、第１突起部群の幅方向の両端部の突起部の高さが低く形成されていると、第１突起部群の幅方向の両端部の突起部が安定して使用者の肩甲骨付近に当たりやすくなるとともに、第１突起部群の幅方向の中央部の突起部も使用者の背中にしっかりと当たりやすくなる。そのため、第１突起部群が使用者の肩甲骨の間に安定して収まりやすくなる。
【００１０】
第１突起部群と第２突起部群は、隣接する突起部の離隔距離が３ｍｍ以上３０ｍｍ以下であることが好ましい。このように第１突起部群と第２突起部群を形成することにより、使用者の背中から発せられた熱や蒸れが、第１突起部群を構成する突起部の間や第２突起部群を構成する突起部の間を通って、外部に放出されやすくなる。また、スペーサー部材の第１突起部群と第２突起部群が設けられた部分での保形性が高まる。そのため、バックパックに重い荷物を入れて背負った場合でも、スペーサー部材が歪みにくくなる。
【００１１】
スペーサー部材には、突起部が第２領域と第３領域にも設けられることが好ましい。第２領域および第３領域に突起部が設けられることにより、バックパックに荷物を入れて背負った際に、バックパックを安定して背負いやすくなるとともに、通気領域において、スペーサー部材と使用者の背中の間に通気のための空間が安定して形成されやすくなる。
【００１２】
第２領域と第３領域における突起部の設置密度は、第１突起部群の突起部の設置密度と第２突起部群の突起部の設置密度よりも低いことが好ましい。第２領域と第３領域における突起部を低密度で設けることにより、第２領域と第３領域における通気性を高めることができる。
【００１３】
第２領域および／または第３領域には、幅方向の一方側に突起部が複数設けられて第３突起部群が形成され、幅方向の他方側に突起部が複数設けられて第４突起部群が形成されていてもよい。この場合、第３突起部群と第４突起部群において、突起部が幅方向に並んで配置され、幅方向の外方側に配置された突起部が幅方向の外方側から内方側に向かって斜め下方に延びる平面形状を有し、幅方向の内方側に配置された突起部が幅方向の内方側から外方側に向かって斜め下方に延びる平面形状を有するように形成されていることが好ましい。このように第３突起部群と第４突起部群を形成することで、使用者の背中の左右の脊柱起立筋が、幅方向の外方側に配置された突起部と幅方向の内方側に配置された突起部によって挟まれる形となり、使用者がバックパックを背負った際に、スペーサー部材が使用者の背中に安定して収まりやすくなる。また、使用者がバックパックを背負って走ったりした際に、バックパックの上下動を抑えることができ、より安定してバックパックを背負うことが可能となる。
【００１４】
第２領域、第３領域および第４領域の幅方向の中央部には、突起部が設けられないことが好ましい。これにより、第２領域から第４領域において突起部が使用者の背骨に当たりにくくなり、スペーサー部材の使用者の背中での収まりが良くなる。
【００１５】
各突起部の面積は０．３ｃｍ2以上１０ｃｍ2以下であることが好ましい。このように突起部を設けることにより、スペーサー部材と使用者の背中の間に通気のための空間を安定して形成することができる。また、１つの突起部が使用者の背中に接する部分の面積が限定されるため、突起部が使用者の背中に当たる部分での汗や蒸れを抑えることができる。
【００１６】
ベース部は、幅方向の中央部に上下方向に延びる開口部が設けられていてもよい。ベース部に開口部を設けることにより、スペーサー部材の軽量化を図ることができる。また、開口部をスペーサー部材の幅方向の中央部に上下方向に延びるように設けることにより、スペーサー部材が使用者の背中の左右方向に沿って曲がりやすくなり、スペーサー部材の使用者の背中での収まりが良くなる。
【００１７】
スペーサー部材は弾性材料から形成されていることが好ましい。このような材料からスペーサー部材を形成することにより、スペーサー部材に適度な剛性と柔軟性を付与することができ、スペーサー部材と使用者の背中の間に通気のための空間が安定して形成されやすくなる。
【００１８】
スペーサー部材はメッシュ生地で覆われていることが好ましい。このようにメッシュ生地を設けることにより、スペーサー部材のベース部と使用者の背中の間に、メッシュ生地の開口を通じて外部に繋がった通気空間が安定して形成されやすくなる。また、スペーサー部材の突起部が使用者の背中に引っ掛かりにくくなり、バックパックを背負ったときの使用感が向上する。
【発明の効果】
【００１９】
本発明のバックパックによれば、使用者の背中の下部における通気性が高まり、長時間バックパックを背負っても背中の蒸れを抑えることができる。背中の下部は、背骨に沿った部分とその両側の脊柱起立筋に沿った部分の幅方向の全域にわたって、汗をかいたときに不快に感じやすいことから、当該部分に対応してバックパック本体と使用者の背中の間に通気空間が形成されるようにすることにより、背中からの熱や蒸れが外部に放出されやすくなり、汗をかいたときの不快感を低減することができる。
【図面の簡単な説明】
【００２０】
【図１】本発明のバックパックの一例を表し、バックパックを使用者の背中側から見た斜視図を表す。
【図２】図１に示したバックパックに備えられたスペーサー部材の平面図を表す。
【図３】図２に示したスペーサー部材のＩＩＩ−ＩＩＩ断面図を表す。
【図４】図２に示したスペーサー部材のＩＶ−ＩＶ断面図を表す。
【図５】図２に示したスペーサー部材のＶ−Ｖ断面図を表す。
【図６】図２に示したスペーサー部材に開口部を設けた構成例を表す。
【図７】本発明のバックパックの他の一例を表し、バックパックを使用者の背中側から見た斜視図を表す。
【発明を実施するための形態】
【００２１】
本発明はバックパックに関するものである。バックパックは、肩ベルトを使用者の両腕に通して、背中に背負うことができるものであれば特に限定されない。バックパックは、背中に背負う機能のみを有するものに限らず、手提げカバンとしての機能を有していたり、キャリーバックとしての機能を有していてもよい。バックパックの用途は特に限定されず、例えばランドセルであってもよい。
【００２２】
本発明のバックパックは、背面部に、着用者の背中に向かって突出する突起部を備えたスペーサー部材が設けられ、突起部が所定の位置に設けられている。これにより、使用者の背中とバックパックの間の通気性が高まり、長時間バックパックを背負った際に背中から発せられた熱や蒸れが外部に放出されやすくなり、バックパックの使用感が向上する。以下、本発明のバックパックについて、図面を参照して説明する。なお、本発明は図面に示された実施態様に限定されるものではない。
【００２３】
図１〜図５には、本発明のバックパックの一例を示した。図１はバックパックを使用者の背中側から見た斜視図を表し、図２は、図１に示したバックパックに備えられたスペーサー部材の平面図を表し、図３〜図５は、図２に示したスペーサー部材のＩＩＩ−ＩＩＩ断面図、ＩＶ−ＩＶ断面図、Ｖ−Ｖ断面図をそれぞれ表す。
【００２４】
バックパック１は、バックパック本体２と、バックパック本体２の背面部に設けられた背負い用の肩ベルト３を有する。バックパック本体２は、バックパックの使用の際、使用者の背中に背負われ、荷物等の収納部を有する。バックパック本体２は、袋状に形成されたり容器状に形成されたりして、内部に収納空間を有することが好ましい。
【００２５】
バックパック本体２の構成材料は特に限定されない。バックパック本体２は、例えば、織布や編布等の布材料や、樹脂シート（樹脂のシート状成形体）、皮革材料から構成されたり、硬質樹脂（硬質樹脂の容器状成形体）、ジュラルミン等の金属、藤や竹製の籠から構成されていてもよい。
【００２６】
バックパック本体２は、上下方向ｙと幅方向ｘにある程度の長さで形成されることが好ましい。バックパック１の上下方向ｙと幅方向ｘは、バックパック１を使用者が背負ったときの使用者の身長方向と身幅方向にそれぞれ対応する。バックパック本体２は、上下方向ｙに対しては、使用者の肩甲骨の高さから腰椎の高さまでの範囲を少なくとも覆うだけの長さを有することが好ましい。幅方向ｘに対しては、バックパック本体２は、使用者の背骨から左右の肩甲骨に届くまでの長さを有することが好ましい。
【００２７】
バックパック本体２の背面部には肩ベルト３が設けられる。バックパック本体２の背面部とは、使用者がバックパック１を背負ったときに着用者の背中に向く側の部分を意味し、通常はバックパック本体２の背面部は面状に形成される。肩ベルト３は、バックパック本体２の背面部の幅方向ｘの一方側と他方側にそれぞれ設けられ、バックパック本体２の上部と下部とを繋ぐように設けられる。幅方向ｘの一方側の肩ベルト３と他方側の肩ベルト３は互いに完全に独立して設けられていてもよく、幅方向ｘの一方側の肩ベルト３の上端部が幅方向ｘの他方側の肩ベルト３の上端部に接続していてもよい。幅方向ｘの一方側の肩ベルト３の下端部はバックパック本体２の幅方向ｘの一方側の下部に接続し、幅方向ｘの他方側の肩ベルト３の下端部はバックパック本体２の幅方向ｘの他方側の下部に接続する。肩ベルト３とバックパック本体２との接続部分には、バックパック本体２からの肩ベルト３の延出方向を固定するための補強部材４が設けられてもよい。
【００２８】
肩ベルト３の構成材料は特に限定されない。肩ベルト３は、織布や編布等の布材料、紐、皮革材料等から構成することができる。肩ベルト３にはクッション性材料が含まれることが好ましく、これにより肩ベルト３を肩にかけたときの使用感を向上させることができる。肩ベルト３には、肩ベルトの長さを調整するためのアジャスターが設けられていることが好ましい。
【００２９】
バックパック本体２の背面部には、スペーサー部材５が設けられる。スペーサー部材５は、ベース部６と、ベース部６から使用者の背中側に突出した突起部７を有する（図２〜図５を参照）。ベース部６はバックパック本体２の背面部に上下方向ｙおよび幅方向ｘに延びるように設けられ、バックパック１の背面側から見て（すなわち使用者の背中から見て）、ベース部６はスペーサー部材５の外縁を形成することが好ましい。
【００３０】
スペーサー部材５は、上下方向ｙと幅方向ｘにある程度の長さで形成されることが好ましい。スペーサー部材５は、上下方向ｙに対しては、使用者の肩甲骨の高さから腰椎の高さまでの範囲を少なくとも覆うだけの長さを有することが好ましく、例えば上下方向ｙの長さが２０ｃｍ以上が好ましく、２５ｃｍ以上がより好ましく、３０ｃｍ以上がさらに好ましく、また６０ｃｍ以下が好ましく、５０ｃｍ以下がより好ましく、４０ｃｍ以下がさらに好ましい。スペーサー部材５の幅方向ｘの長さは、１２ｃｍ以上が好ましく、１４ｃｍ以上がより好ましく、１６ｃｍ以上がさらに好ましく、また３０ｃｍ以下が好ましく、２６ｃｍ以下がより好ましく、２２ｃｍ以下がさらに好ましい。
【００３１】
突起部７は、ベース部６の一部から使用者の背中に向かって突出するように設けられる。このようにスペーサー部材５が形成されることにより、突起部７の位置や形状が安定する。例えば使用者がバックパックを背負って動いたり上体を曲げたりした場合でも、スペーサー部材５はベース部６を有することによって形状が安定化し、突起部７の位置が所望の通り維持される。
【００３２】
スペーサー部材５には、突起部７が所定の位置に設けられる。具体的には、スペーサー部材５を上下方向ｙに５つの領域に等分に区分し、上側から第１領域Ａ、第２領域Ｂ、第３領域Ｃ、第４領域Ｄおよび第５領域Ｅとしたとき、突起部７は、少なくとも第１領域Ａおよび第５領域Ｅに設けられる。なお、第１領域Ａに設けられた突起部７の少なくとも一部は、肩ベルト３の上端３Ａを通り幅方向ｘに延びる仮想線Ｌ１に対して、下方に１０ｃｍ以内（好ましくは下方に８ｃｍ以内であり、より好ましくは５ｃｍ以内）の範囲にあり、第５領域Ｅに設けられた突起部７の少なくとも一部は、肩ベルト３の下端３Ｂを通り幅方向ｘに延びる仮想線Ｌ２に対して、上方に１０ｃｍ以内または下方に５ｃｍ以内（好ましくは上方に８ｃｍ以内または下方に３ｃｍ以内であり、より好ましくは上方に５ｃｍ以内または下方に２ｃｍ以内）の範囲にある。第１領域Ａの突起部７と第５領域の突起部７は、上下方向ｙの位置が上記の条件を満たす限り、幅方向ｘに対しては肩ベルト３の上端３Ａまたは下端３Ｂと重なる位置に配置されてもよく、ずれて配置されてもよい。肩ベルト３の上端３Ａの位置は、肩ベルト３の上側のバックパック本体２との接続部分の最も上側の位置に対応し、肩ベルト３の下端３Ｂの位置は、肩ベルト３の下側のバックパック本体２との接続部分の最も下側の位置に対応する。肩ベルト３の上端３Ａまたは下端３Ｂはいずれも、肩ベルト３がバックパック本体２から延出する起点となる。
【００３３】
スペーサー部材５には、第４領域Ｄに突起部７が設けられない通気領域８が形成される。図１および図２では、通気領域８を一点鎖線で囲んで示している。通気領域８は、スペーサー部材５の第４領域Ｄの少なくとも一部を含んで形成される。通気領域８は、第４領域Ｄの少なくとも一部を含み、スペーサー部材５の幅方向ｘの全体にわたって上下方向ｙに５ｃｍ以上の長さで形成される。このように通気領域８が形成されることにより、使用者の背中の下部（背中の胸椎と腰椎との境目付近の部分）における通気性が高まり、長時間バックパックを背負っても背中の蒸れを抑えることができる。本発明者らが調べたところ、背中の下部は、背骨に沿った部分とその両側の脊柱起立筋に沿った部分の幅方向の全域にわたって、汗をかいたときに不快に感じることが分かった。そのため、当該部分の通気性を高めるべく、スペーサー部材５の第４領域Ｄに突起部７が設けられない通気領域８を形成することにより、背中の下部の熱や蒸れが通気領域８を通って外部に放出され、汗をかいたときの不快感を低減することができる。以下、上記に説明した通気領域を「特定通気領域」と称する場合がある。
【００３４】
スペーサー部材５は、上記のように特定通気領域８が形成される限り、第２領域Ｂ〜第４領域Ｄにも突起部７が設けられてもよい。また、特定通気領域８は、第３領域Ｃおよび／または第５領域Ｅに延在して形成されてもよく、第３領域Ｃからさらに第２領域Ｂに延在して形成されていてもよい。
【００３５】
特定通気領域８は、スペーサー部材５の幅方向ｘの全体にわたって上下方向ｙに６ｃｍ以上の長さで形成されることが好ましく、７ｃｍ以上がより好ましく、８ｃｍ以上がさらに好ましい。一方、特定通気領域８の上下方向ｙの長さの上限は特に限定されないが、特定通気領域８の上下方向ｙの長さが長すぎてもスペーサー部材５と使用者の背中の間に通気のための空間が安定して形成されにくくなることから、特定通気領域８は、スペーサー部材５の幅方向ｘの全体にわたって上下方向ｙに１８ｃｍ以下の長さで形成されることが好ましく、１５ｃｍ以下がより好ましく、１２ｃｍ以下がさらに好ましい。
【００３６】
突起部７は、さらに第２領域Ｂおよび第３領域Ｃにも設けられることが好ましい。第２領域Ｂおよび第３領域Ｃに突起部７が設けられることにより、バックパックに荷物を入れて背負った際に、バックパックを安定して背負いやすくなる。また、特定通気領域８において、スペーサー部材５と使用者の背中の間に通気のための空間が安定して形成されやすくなる。
【００３７】
突起部７は、第１領域Ａと第５領域Ｅの各領域の一部のみに設けられてもよく、全部に設けられてもよい。突起部７が第２領域Ｂと第３領域Ｃにも設けられる場合は、突起部７は、第２領域Ｂと第３領域Ｃの各領域の一部のみに設けられてもよく、全部に設けられてもよい。突起部７は隣接する領域にまたがって設けられてもよい。なお、バックパックの背面部における通気性を高める観点から、突起部７は、第１領域Ａと第５領域Ｅの各領域の一部のみに設けられることが好ましく、第２領域Ｂと第３領域Ｃの各領域の一部のみに設けられることが好ましい。第１領域Ａと第５領域Ｅの各領域には突起部７が複数設けられることが好ましく、第２領域Ｂと第３領域Ｃの各領域においても突起部７が複数設けられることが好ましく、各領域の幅方向ｘの一方側と他方側のそれぞれにおいて突起部７が複数設けられることが好ましい。これによりスペーサー部材５の各領域に通気のための空間が好適に形成されやすくなる。
【００３８】
突起部７のベース部６からの高さは、バックパックの背面部での通気性を高める点から、５ｍｍ以上が好ましく、１０ｍｍ以上がより好ましく、１５ｍｍ以上がさらに好ましい。一方、バックパックの収納部のスペースを広く確保する点から、突起部７のベース部６からの高さは４０ｍｍ以下が好ましく、３０ｍｍ以下がより好ましく、２５ｍｍ以下がさらに好ましい。
【００３９】
突起部７は、ベース部６上に島状に設けられることが好ましい。このように突起部７を設けることにより、突起部７の使用者の背中との接触面積を減らして、突起部７が使用者の背中に接する部分での汗や蒸れを抑えることができる。また、スペーサー部材５の第１領域Ａ、第２領域Ｂ、第３領域Ｃや第５領域Ｅと使用者の背中の間に、通気可能な空間をより広く形成することができる。
【００４０】
各突起部７の面積は、スペーサー部材５と使用者の背中の間に通気のための空間を安定して形成する観点から、０．３ｃｍ2以上が好ましく、０．５ｃｍ2以上がより好ましく、０．７ｃｍ2以上がさらに好ましい。一方、突起部７が使用者の背中に接する部分での汗や蒸れを抑える観点から、各突起部７の面積は、１０ｃｍ2以下が好ましく、９ｃｍ2以下がより好ましく、８ｃｍ2以下がさらに好ましい。また全ての突起部７の面積の総和をＳPとしたとき、面積が１ｃｍ2以上の突起部７の面積の総和が０．８ＳP以上となることが好ましく、０．９ＳP以上となることがより好ましい。突起部の面積は、ベース部からの突起部の高さをＨとしたとき、１／２Ｈの高さで突起部を切除したときの頂面の面積を計測することにより求める。本発明における突起部の形状や大きさ、通気領域の大きさ、隣接する突起部の離隔距離等も、突起部を１／２Ｈの高さで切除したときの突起部の平面形状に基づき求める。
【００４１】
スペーサー部材５における突起部７の設置面積割合は５％以上であることが好ましく、１０％以上がより好ましく、また５０％以下が好ましく、４０％以下がより好ましく、３０％以下がさらに好ましい。このように突起部７を設けることにより、スペーサー部材５と使用者の背中の間に通気のための空間を安定して形成しつつ、突起部７が使用者の背中に接する面積を減らして、突起部７が使用者の背中に接する部分での汗や蒸れを抑えることができる。スペーサー部材５の突起部７の設置面積の割合は、スペーサー部材５を平面視したとき（すなわちスペーサー部材５を使用者の背中側から見たとき）の全ての突起部７の面積の総和ＳPとスペーサー部材５の外縁で囲まれた面積Ｓとの比ＳP／Ｓから求めることができる。当該面積Ｓは、後述するようにスペーサー部材に開口部が設けられる場合は、開口部はスペーサー部材の外縁を形成しないことから、開口部も含めた面積を意味することとなる。
【００４２】
突起部７の平面形状は特に限定されない。突起部７の平面形状は、円形、楕円形、長円形、多角形、角の丸まった多角形等が挙げられる。図面では、楕円形状の突起部７が多数並んで配置されている。突起部７の平面形状は、アスペクト比（すなわち長軸方向の長さ／短軸方向の長さの比）が５以下であることが好ましく、４以下がより好ましく、３以下がさらに好ましい。これにより、突起部７の短軸方向に力がかかっても、突起部７が歪みにくくなり、突起部７がベース部６から突出した状態を安定して維持しやすくなる。
【００４３】
突起部７は、図３〜図５に示すように、高さ方向の断面で見たときに、頂部が角張っておらず、丸まって形成されていることが好ましい。突起部７の頂部が平面部を有する場合でも、高さ方向の断面で見たときに、平面部の周縁が角張っておらず、丸まって形成されていることが好ましい。このように突起部７が形成されることにより、突起部７が使用者の背中に接する部分での汗や蒸れを抑えることができる。
【００４４】
図２に示すように、第１領域Ａには、突起部７が幅方向ｘに複数並んで配置されて第１突起部群７１が形成されることが好ましい。また第５領域Ｅには、突起部７が幅方向ｘに複数並んで配置されて第２突起部群７２が形成されることが好ましい。このようにスペーサー部材５に第１突起部群７１と第２突起部群７２を設けることにより、第１突起部群７１と第２突起部群７２の間、すなわちスペーサー部材５の第２領域Ｂから第４領域Ｄにかけて、通気のための空間が安定して形成されやすくなる。また、使用者の背中から発せられた熱や蒸れが、上昇気流として第１突起部群７１を構成する突起部７の間を抜けて外部に放出されたり、第２突起部群７２を構成する突起部７の間を通って外部に放出されやすくなる。第２突起部群７２は、上記に説明した特定通気領域８の下方側の支持部として機能させることもでき、この場合、第２突起部群７２の上下方向ｙの上側に特定通気領域８が形成されることとなる。
【００４５】
図３および図４に示すように、第１突起部群７１と第２突起部群７２は、隣接する突起部７の離隔距離Ｄ71，Ｄ72が３ｍｍ以上であることが好ましく、５ｍｍ以上がより好ましく、７ｍｍ以上がさらに好ましい。これにより、使用者の背中から発せられた熱や蒸れが、第１突起部群７１を構成する突起部７の間や第２突起部群７２を構成する突起部７の間を通って、外部に放出されやすくなる。一方、第１突起部群７１と第２突起部群７２は、隣接する突起部７の離隔距離Ｄ71，Ｄ72が３０ｍｍ以下であることが好ましく、２０ｍｍ以下がより好ましく、１５ｍｍ以下がさらに好ましい。このように突起部７を配置することにより、スペーサー部材５の第１突起部群７１と第２突起部群７２が設けられた部分での保形性が高まる。そのため、バックパックに重い荷物を入れて背負った場合でも、スペーサー部材５が歪みにくくなる。
【００４６】
第１突起部群７１と第２突起部群７２の幅方向ｘの長さ、すなわち第１突起部群７１または第２突起部群７２において幅方向ｘの最も一方側に位置する突起部７から幅方向ｘの最も他方側に位置する突起部７までの幅方向ｘの長さは、１２ｃｍ以上が好ましく、１４ｃｍ以上がより好ましく、１６ｃｍ以上がさらに好ましく、また２６ｃｍ以下が好ましく、２４ｃｍ以下がより好ましく、２２ｃｍ以下がさらに好ましい。
【００４７】
第１突起部群７１は、幅方向ｘの中央部の突起部７が、幅方向ｘの両端部の突起部７よりも高く形成されていることが好ましい。換言すれば、第１突起部群７１は、幅方向ｘの両端部の突起部７が、幅方向ｘの中央部の突起部７よりも低く形成されていることが好ましい。バックパックを背負った際、第１突起部群７１の幅方向ｘの両端部の突起部７、すなわち幅方向ｘの最も一方側に位置する突起部７と幅方向ｘの最も他方側に位置する突起部７は、使用者の肩甲骨の出っ張った部分に当たりやすくなる。この際、第１突起部群７１の幅方向ｘの両端部の突起部７の高さが低く形成されていると、第１突起部群７１の幅方向ｘの両端部の突起部７が安定して使用者の肩甲骨付近に当たりやすくなるとともに、第１突起部群７１の幅方向ｘの中央部の突起部７も使用者の背中にしっかりと当たりやすくなる。そのため、第１突起部群７１が使用者の肩甲骨の間に安定して収まりやすくなる。第１突起部群７１はまた、幅方向ｘの両端部の突起部７の高さが、それよりも幅方向ｘの内方側の突起部７の高さよりも低く形成されていることが好ましい。なお、第１突起部群７１の幅方向ｘの中央部の突起部７とは、第１突起部群７１を構成する突起部７のうち、スペーサー部材５の幅方向ｘの中央に最も近い突起部７を意味する。
【００４８】
第１突起部群７１は、幅方向ｘの両端部の突起部７の設置面積が、それよりも幅方向ｘの内方側の突起部７の設置面積（１つの突起部７の設置面積）よりも大きいことが好ましい。これにより第１突起部群７１の幅方向ｘの両端部の突起部７が安定して使用者の肩甲骨付近に当たりやすくなる。
【００４９】
第２突起部群７２は、幅方向ｘに複数並んで配置された各突起部７の高さが互いに略同程度に形成されることが好ましく、例えば高さのばらつきが平均の１０％以内であることが好ましい。これにより、特定通気領域８に通気のための空間が安定して形成されやすくなる。
【００５０】
第１突起部群７１の突起部７は、上下方向ｙに長い形状を有することが好ましく、特に幅方向ｘの両端部以外の突起部７がこのような平面形状を有することが好ましい。例えば、第１突起部群７１の突起部７の平面形状は、長軸方向が上下方向ｙに対して時計回りまたは反時計回りに２０°以下の角度で延びるように形成されていることが好ましく、１０°以下の角度がより好ましい。このように第１突起部群７１の突起部７が形成されることにより、第１突起部群７１の突起部７の間に通気のための空間を多く形成することができ、スペーサー部材５と使用者の背中の間にたまった熱や蒸れが外部に好適に排出されやすくなる。第１突起部群７１の突起部７は、例えば上下方向ｙの長さが１５ｍｍ以上であることが好ましく、２０ｍｍ以上がより好ましく、また４０ｍｍ以下が好ましく、３０ｍｍ以下がより好ましい。
【００５１】
第２突起部群７２の突起部７は、上下方向ｙに長い形状を有することが好ましい。例えば、第２突起部群７２の突起部７の平面形状は、長軸方向が上下方向ｙに対して時計回りまたは反時計回りに２０°以下の角度で延びるように形成されていることが好ましく、１０°以下の角度がより好ましい。特に幅方向ｘの両端部以外の突起部７がこのような平面形状を有することが好ましい。このように第２突起部群７２の突起部７が形成されることにより、第２突起部群７２の突起部７の間に通気のための空間を多く形成することができ、スペーサー部材５と使用者の背中の間にたまった熱や蒸れが外部に好適に排出されやすくなる。第２突起部群７２の突起部７は、例えば上下方向ｙの長さが１５ｍｍ以上であることが好ましく、２０ｍｍ以上がより好ましく、また４０ｍｍ以下が好ましく、３０ｍｍ以下がより好ましい。
【００５２】
第２領域Ｂと第３領域Ｃに突起部７が設けられる場合、第２領域Ｂと第３領域Ｃには突起部７を任意の配置で設けることができる。第４領域Ｄに突起部７が設けられる場合も、第４領域Ｄに突起部７を任意の配置で設けることができる。なお、第２領域Ｂと第３領域Ｃにおける突起部７の設置密度は、第１突起部群７１の突起部７の設置密度と第２突起部群７２の突起部７の設置密度よりも低いことが好ましい。第２領域Ｂと第３領域Ｃにおける突起部７を低密度で設けることにより、第２領域Ｂと第３領域Ｃにおける通気性を高めることができる。また、第２領域Ｂと第３領域Ｃにおける突起部７の設置密度は、第１領域Ａと第５領域Ｅにおける突起部７の設置密度よりも低いことも好ましい。なお、ここで説明した突起部７の設置密度は、突起部７の設置面積基準の密度を意味する。
【００５３】
第２領域Ｂおよび／または第３領域Ｃには、幅方向ｘの一方側に突起部７が複数設けられて第３突起部群７３が形成され、幅方向ｘの他方側に突起部７が複数設けられて第４突起部群７４が形成されることが好ましい。このように第３突起部群７３と第４突起部群７４を設けることにより、第２領域Ｂおよび／または第３領域Ｃにおいて、使用者の背骨を挟んだ両側に通気のための空間が安定して形成されやすくなる。また、特定通気領域８においても、通気のための空間が安定して形成されやすくなる。第３突起部群７３および／または第４突起部群７４は第１領域Ａにも設けられてもよいが、第１突起部群７１とは上下方向ｙに離隔して設けられる。
【００５４】
第２領域Ｂと第３領域Ｃには、幅方向ｘの中央部（スペーサー部材５の幅方向ｘの中心線を含む部分）に突起部７が設けられないことが好ましい。これにより、第２領域Ｂと第３領域Ｃにおいて突起部７が使用者の背骨に当たりにくくなり、スペーサー部材５の使用者の背中での収まりが良くなる。同様の理由から、第４領域Ｄにも、幅方向ｘの中央部に突起部７が設けられないことが好ましい。第２領域Ｂ、第３領域Ｃ、第４領域Ｄにおいて、幅方向ｘの中央部に突起部７が設けられない領域の幅は、２０ｍｍ以上が好ましく、３０ｍｍ以上がより好ましく、また８０ｍｍ以下が好ましく、６０ｍｍ以下がより好ましい。
【００５５】
第３突起部群７３と第４突起部群７４ではそれぞれ、突起部７が幅方向ｘに並んで配置されることが好ましい。例えば、第３突起部群７３と第４突起部群７４では、幅方向ｘの外方側に配置された突起部７と幅方向ｘの内方側に配置された突起部７が、幅方向ｘに１５ｍｍ以上５０ｍｍ以下離隔して並んで配置されることが好ましい。このように第３突起部群７３と第４突起部群７４を形成することで、使用者の背中の左右の脊柱起立筋が、幅方向ｘの外方側に配置された突起部７と幅方向ｘの内方側に配置された突起部７によって挟まれる形となり、使用者がバックパックを背負った際に、スペーサー部材５が使用者の背中に安定して収まりやすくなる。そのため、使用者の背中におけるバックパックの左右の位置が安定化する。第３突起部群７３と第４突起部群７４では、上記のように幅方向ｘに並んで配置された突起部７が上下方向ｙにも並んで配置されることがより好ましく、これによりスペーサー部材５が使用者の背中により安定して収まりやすくなる。
【００５６】
第３突起部群７３と第４突起部群７４では、上記のように突起部７を配置することにより、幅方向ｘの外方側に配置された突起部７と幅方向ｘの内方側に配置された突起部７の間の空間を、使用者の背中から発せられた熱や蒸れの通気空間として機能させることもできる。当該通気空間にたまった熱や蒸れは、上昇気流として第１突起部群７１を構成する突起部７の間を通って外部に放出することができる。
【００５７】
第３突起部群７３と第４突起部群７４では、幅方向ｘの外方側に配置された突起部７が幅方向ｘの外方側から内方側に向かって斜め下方に延びる平面形状を有し、幅方向ｘの内方側に配置された突起部７が幅方向ｘの内方側から外方側に向かって斜め下方に延びる平面形状を有することが好ましい。このように第３突起部群７３と第４突起部群７４の突起部７を形成することにより、使用者がバックパックを背負って走ったりした際に、バックパックの上下動を抑えることができ、より安定してバックパックを背負うことが可能となる。この場合、上下方向ｙに対して斜め方向に延びる平面形状を有する突起部７は、当該形状の長軸方向が、上下方向ｙに対して時計回りまたは反時計回りに２０°以上６０°以下の角度で延びるように形成されていることが好ましい。
【００５８】
第３領域Ｃおよび／または第４領域Ｄには、突起部７が幅方向ｘに複数並んで配置されて第５突起部群７５が形成されることが好ましい。第５突起部群７５を設けることにより、特定通気領域８において、通気のための空間が安定して形成されやすくなる。この場合、第５突起部群７５は特定通気領域８の上方側の支持部として機能し、第５突起部群７５の上下方向ｙの下側に特定通気領域８が形成されることとなる。従って、スペーサー部材５に第３突起部群７３と第４突起部群７４が設けられる場合は、第５突起部群７５は第３突起部群７３と第４突起部群７４よりも上下方向ｙの下側に形成されることとなる。
【００５９】
第５突起部群７５の幅方向ｘの長さ、すなわち第５突起部群７５において幅方向ｘの最も一方側に位置する突起部７から幅方向ｘの最も他方側に位置する突起部７までの幅方向ｘの長さは、１２ｃｍ以上が好ましく、１４ｃｍ以上がより好ましく、１６ｃｍ以上がさらに好ましく、また２６ｃｍ以下が好ましく、２４ｃｍ以下がより好ましく、２２ｃｍ以下がさらに好ましい。
【００６０】
第５突起部群７５は、幅方向ｘの両端部の突起部７の設置面積が、それより幅方向ｘの内方側の突起部７の設置面積（１つの突起部７の設置面積）よりも大きいことが好ましい。これにより、特定通気領域８において、通気のための空間が幅方向ｘの全体にわたって安定して形成されやすくなる。
【００６１】
第５突起部群７５は、幅方向ｘに複数並んで配置された各突起部７の高さが互いに略同程度に形成されることが好ましく、例えば高さのばらつきが平均の１０％以内であることが好ましい。これにより、特定通気領域８に通気のための空間が安定して形成されやすくなる。また、第２突起部群７２の突起部７の高さと第５突起部群７５の突起部の高さも略同程度であることが好ましく、例えば高さのばらつきが平均の１０％以内であることが好ましい。
【００６２】
第５突起部群７５には、第３突起部群７３および第４突起部群７４よりも設置面積の大きい突起部７が設けられることが好ましい。これにより、特定通気領域８に通気のための空間が安定して形成されやすくなる。第５突起部群７５には、第１突起部群７１および第２突起部群７２よりも設置面積の大きい突起部７が設けられてもよい。
【００６３】
第５突起部群７５の突起部７は、上下方向ｙに長い形状を有することが好ましく、特に幅方向ｘの両端部以外の突起部７がこのような平面形状を有することが好ましい。例えば、第５突起部群７５の突起部７の平面形状は、長軸方向が上下方向ｙに対して時計回りまたは反時計回りに４０°以下の角度で延びるように形成されていることが好ましく、３０°以下がより好ましい。このように第５突起部群７５の突起部７が形成されることにより、特定通気領域８にたまった熱や蒸れをそれより上方に拡散しやすくなる。
【００６４】
スペーサー部材５は弾性材料から形成されていることが好ましい。このような材料からスペーサー部材５を形成することにより、スペーサー部材５に適度な剛性と柔軟性を付与することができ、スペーサー部材５と使用者の背中の間に通気のための空間が安定して形成されやすくなる。弾性材料としてはエラストマー材料を用いることが好ましく、エラストマー材料としては、例えば、天然ゴム；ウレタンゴム、シリコーンゴム、フッ素ゴム等の熱硬化性エラストマー；ポリウレタン系、ポリエステル系、ポリオレフィン系、ポリスチレン系、ポリアミド系等の各種熱可塑性エラストマー等が挙げられる。クッション性を高める観点からは、発泡エラストマー材料を用いることがより好ましい。
【００６５】
スペーサー部材５のベース部６は、スペーサー部材５の保形性を高める観点から、ある程度の厚みで形成されることが好ましい。ベース部６の厚みは、例えば３ｍｍ以上が好ましく、５ｍｍ以上がより好ましい。一方、スペーサー部材５の軽量化や使用者の背中の動きに対する追従性を高める観点から、ベース部６の厚みは２５ｍｍ以下が好ましく、２０ｍｍ以下がより好ましく、１５ｍｍ以下がさらに好ましい。また、ベース部６の厚みを厚くしすぎないことで、使用者がバックパックを背負った際に、使用者の動きによってスペーサー部材５に曲げや歪みが生じ、特定通気領域８にたまった熱や蒸れが外部へ放出されやすくなる効果を出すこともできる。
【００６６】
ベース部６には、スペーサー部材５の軽量化の観点から、開口部が設けられていてもよい。図６には、図２に示したスペーサー部材５に対して開口部９を設けた構成例を示した。開口部９は、スペーサー部材５の幅方向ｘの中央部に上下方向ｙに延びるように設けられることが好ましく、これによりスペーサー部材５が使用者の背中の左右方向に沿って曲がりやすくなり、スペーサー部材５の使用者の背中での収まりが良くなる。開口部９はベース部６の通気領域８に形成されることも好ましく、またそれ以外の部分に開口部９が形成されてもよい。なお、ベース部６に開口部９が設けられる場合でも、スペーサー部材５の形状自立性が確保されることが望ましい。
【００６７】
スペーサー部材５はメッシュ生地で覆われていてもよい。すなわち、スペーサー部材５の背面側（使用者の背中側）にはメッシュ生地が設けられ、スペーサー部材５がメッシュ生地で覆われていてもよい。図７には、図１に示したバックパックにおいて、スペーサー部材５の背面側にメッシュ生地１０を設けた構成例を示した。このようにメッシュ生地１０を設けることにより、スペーサー部材５のベース部６と使用者の背中の間に、メッシュ生地１０の開口を通じて外部に繋がった通気空間が安定して形成されやすくなる。また、スペーサー部材５の突起部７が使用者の背中に引っ掛かりにくくなり、バックパックを背負ったときの使用感が向上する。
【符号の説明】
【００６８】
１：バックパック
２：バックパック本体
３：肩ベルト、３Ａ：肩ベルトの上端、３Ｂ：肩ベルトの下端
４：補強部材
５：スペーサー部材
６：ベース部
７：突起部、７１：第１突起部群、７２：第２突起部群、７３：第３突起部群、７４：第４突起部群、７５：第５突起部群
８：通気領域
９：開口部
１０：メッシュ生地
Ａ：第１領域
Ｂ：第２領域
Ｃ：第３領域
Ｄ：第４領域
Ｅ：第５領域
【要約】
【課題】使用者の背中での蒸れを抑えることができるバックパックを提供する。
【解決手段】バックパック本体２の背面部にスペーサー部材５が設けられたバックパック１であって、スペーサー部材５は使用者の背中側に突出した突起部７を有し、スペーサー部材５は、上下方向ｙに５つの領域に等分に区分され、上側から第１領域〜第５領域を有し、突起部７は少なくとも第１領域と第５領域に設けられ、第１領域の突起部７は、肩ベルト３の上端３Ａを通り幅方向ｘに延びる仮想線Ｌ１に対して、下方に１０ｃｍ以内の範囲にあり、第５領域の突起部７は、肩ベルト３の下端３Ｂを通り幅方向ｘに延びる仮想線Ｌ２に対して、上方に１０ｃｍ以内または下方に５ｃｍ以内の範囲にあり、スペーサー部材５には、突起部７が設けられない通気領域８が、第４領域の少なくとも一部を含んで、スペーサー部材５の幅方向ｘの全体にわたって上下方向ｙに５ｃｍ以上の長さで形成されている。
【選択図】図１【図１】
0006829751.tif 000002
【図２】
0006829751.tif 000003
【図３】
0006829751.tif 000004
【図４】
0006829751.tif 000005
【図５】
0006829751.tif 000006
【図６】
0006829751.tif 000007
【図７】
0006829751.tif 000008